(57)【要約】  観察者に違和感を感じさせることなく装用者の眼に対してコスメティック（美容）効果を与えると共に、装用者の視野の低下を改善することが出来る、新規な構造の色付コンタクトレンズを提供すること。  装用される眼球１２の虹彩領域３８に重ね合される虹彩着色部４０と、角膜１４と強膜３４の境界線３６を跨いで内周側と外周側に広がって重ね合される環状着色帯４２の少なくとも一方を有している色付コンタクトレンズ１０において、虹彩着色部４０および／又は環状着色帯４２の中心が、レンズ幾何中心２０を通る径方向線２２上において、レンズ幾何中心２０から一方の側にずらされている一方、径方向線２２が装用される眼球１２の左右方向に延びる位置で安定するようにレンズ周方向位置を位置決めする位置決め手段を設けた。
2013093971.tif 000002
【特許請求の範囲】
【請求項１】
装用される眼の虹彩領域に重ね合される虹彩着色部と、角膜と強膜の境界線を跨いで内周側と外周側に広がって重ね合される環状着色帯の少なくとも一方を有している色付コンタクトレンズにおいて、
前記虹彩着色部および／又は環状着色帯の中心が、レンズ幾何中心を通る径方向線上において、該レンズ幾何中心から一方の側にずらされている一方、前記径方向線が前記装用される眼の左右方向に延びる位置で安定するようにレンズ周方向位置を位置決めする位置決め手段が設けられていることを、特徴とする色付コンタクトレンズ。
【請求項２】
前記レンズ幾何中心に対する前記虹彩着色部の中心のずれ量が０．２〜２．０ｍｍおよび／又は環状着色帯の中心のずれ量が０〜１．７ｍｍである請求項１に記載の色付コンタクトレンズ。
【請求項３】
前記虹彩着色部と該虹彩着色部の外周側に設けられた前記環状着色帯の両方を有しており、該虹彩着色部と該環状着色帯が同心状態で形成されている請求項１又は２に記載の色付コンタクトレンズ。
【請求項４】
前記虹彩着色部と前記環状着色帯の中心が前記径方向線上で相互に離隔している請求項１又は２に記載の色付コンタクトレンズ。
【請求項５】
前記虹彩着色部の内周縁部および外周縁部がいずれも円形状である請求項１〜４の何れか１項に記載の色付コンタクトレンズ。
【請求項６】
前記環状着色帯の外周縁部が楕円形状とされており、該外周縁部の長軸が、前記径方向線と一致している請求項１〜４の何れか１項に記載の色付コンタクトレンズ。
【請求項７】
レンズ中央部分に設けられた光学部と該光学部を囲む周縁部が設けられており、前記位置決め手段が、前記径方向線を挟んだ両側において前記周縁部が薄肉化された一対のスラブオフ領域を設けることにより構成されている請求項１〜６の何れか１項に記載の色付コンタクトレンズ。
【請求項８】
レンズ中央部分に設けられた光学部と該光学部を囲む周縁部が設けられており、前記位置決め手段が、前記径方向線を挟んだ一方の側よりも他方の側の周辺部を厚肉にしたプリズムバラスト構造により構成されている請求項１〜６の何れか１項に記載の色付コンタクトレンズ。
【請求項９】
前記虹彩着色部および／又は環状着色帯の中心が、前記径方向線から、前記周辺部が薄肉とされた前記一方の側にさらに偏倚されている請求項８に記載の色付コンタクトレンズ。
【請求項１０】
前記虹彩着色部が環状とされている一方、レンズ中央部分に光学部が設けられており、該光学部の光学幾何中心が該虹彩着色部の中心と一致されていると共に、該光学部の外径が、虹彩着色部の内径以下とされている請求項１〜９の何れか１項に記載の色付コンタクトレンズ。
【発明の詳細な説明】
【技術分野】
【０００１】
本発明は、色付コンタクトレンズに係り、特に特定部分に対して着色領域を設けることにより装用者の眼に対してコスメティック（美容）効果を与える色付コンタクトレンズに関する。
【背景技術】
【０００２】
従来から、眼の角膜に重ね合されて装用されるコンタクトレンズの一種として、色付コンタクトレンズが、幾つか提案されている。例えば、特開昭６０−２３５１１５号公報（特許文献１）には、角膜を通じて虹彩の色が見える虹彩領域に重ね合される着色領域である虹彩着色部を有することで、所謂黒目の部分を本来と異なる色に見えるようにするものが提案されている。【０００３】
また、特表２００８−５１１０２５号公報（特許文献２）には、角膜と強膜の境界線（リンバル）を跨いで内周側と外周側に広がって重ね合される着色領域である環状着色帯を設けて、強膜の部分までも着色した色付コンタクトレンズが提案されている。この色付コンタクトレンズは、角膜の外径を大きく且つ外縁をはっきりと強調して明確にさせることで、眼ひいては顔全体の表情を可愛くみせたり明るくみせたりすることが出来るものとされており、既に市場に提供されている。【０００４】
ところが、このような特許文献１や特許文献２に記載の色付コンタクトレンズでは、確かに装用者の表情の観察者による評価イメージを異ならせ得るものの、それらが観察者に違和感を感じさせる場合がしばしばあり、問題となっていた。具体的には、従来構造の色付コンタクトレンズを装用すると、装用者が観察者と向かい合って観察者に視線を向けている場合でも、観察者には、装用者の視線が観察者自身へ向けられているように感じられない場合があった。【０００５】
また、夜間など比較的周囲が暗くなる場合には、装用者の瞳孔径が大きくなることにより、着色領域の内周領域が視野に入る場合があり、装用者の視覚を遮り、一層暗く感じさせたり、安全な視野を確保出来ないおそれがあった。特に、環状着色帯の内周縁部が視野に入り易く、環状着色帯を有する色付コンタクトレンズを常用した場合に斜視になるおそれもあった。これに対して、環状着色帯の内径を大きくすることも考えられるが、この場合、環状着色帯の幅（内径と外径の差）が小さくなり、角膜と強膜の境界線（リンバル）から環状着色帯の内周縁部が外れやすくなって、かえって装用者の外観を損なうおそれがあった。【０００６】
加えて、コンタクトレンズは鼻側へ比較的動きにくいことから、装用者が視線を真横に向けた場合等に、装用者の眼球の動きにコンタクトレンズが追従出来ず、特に鼻側において装用者のリンバルから環状着色帯の内周縁部が大きく外れて位置してしまい、観察者に違和感を与える場合もあった。これに対して、環状着色帯の内径を小さくすることも考えられるが、この場合、レンズ中央に位置する光学部の外径を小さくせざるを得ず、視野自体が狭くなってしまい採用し得る対策ではなかった。
【先行技術文献】
【特許文献】
【０００７】
【特許文献１】特開昭６０−２３５１１５号公報
【特許文献２】特表２００８−５１１０２５号公報
【発明の概要】
【発明が解決しようとする課題】
【０００８】
本発明は、上述の事情を背景に為されたものであって、その解決課題は、観察者に違和感を感じさせることなく装用者の眼に対してコスメティック（美容）効果を与えると共に、装用者の視野の低下を改善することが出来る、新規な構造の色付コンタクトレンズを提供することにある。
【課題を解決するための手段】
【０００９】
かかる課題を解決すべく鋭意検討を重ねた結果、本発明者等は、観察者からみた装用者の視線は、一般に白目と言われる強膜上における黒目、即ち角膜の位置によって判断される一方、角膜上に装用されたコンタクトレンズは視軸に対して僅かに耳側に偏倚して安定することが多いことが、色付コンタクトレンズの装用者の外観に違和感を与えたり、視野の低下をもたらす原因となっていることを見い出し、かかる見地に基づき本発明を完成するに至ったのである。【００１０】
本発明の第一の態様は、装用される眼の虹彩領域に重ね合される虹彩着色部と、角膜と強膜の境界線を跨いで内周側と外周側に広がって重ね合される環状着色帯の少なくとも一方を有している色付コンタクトレンズにおいて、前記虹彩着色部および／又は環状着色帯の中心が、レンズ幾何中心を通る径方向線上において、該レンズ幾何中心から一方の側にずらされている一方、前記径方向線が前記装用される眼の左右方向に延びる位置で安定するようにレンズ周方向位置を位置決めする位置決め手段が設けられていることを、特徴とする。【００１１】
本態様に従う構造とされた色付コンタクトレンズによれば、レンズ幾何中心を通る径方向線上において、虹彩着色部および／又は環状着色帯の中心がレンズ幾何中心から一方の側にずれた状態で、虹彩着色部や環状着色帯が設けられている。従って、本態様の色付コンタクトレンズを、虹彩着色部および／又は環状着色帯の中心がずらされた一方の側が鼻側に位置するように装着することにより、装用時の色付コンタクトレンズが耳側にずれた位置で安定した際に、装用者の視軸すなわち角膜の位置と虹彩着色部や環状着色帯の位置のずれが低減乃至解消されて概ね一致することとなる。これにより、従来構造の色付コンタクトレンズのように、装用者の角膜の位置と虹彩着色部や環状着色帯の位置がずれる不具合が低減乃至は解消されることから、装用者が観察者と向かい合って観察者に視線を向けている場合に、装用者の視線が観察者へ向けられておらず、やや外方を見ているように感じるといった問題が解消されることとなる。【００１２】
さらに、本態様の色付コンタクトレンズによれば、虹彩着色部および／又は環状着色帯の中心がレンズ幾何中心からずれている方向に延びる径方向線が、装用された際に眼の左右方向に延びる位置で安定するように、装用時のレンズ周方向位置を位置決めする位置決め手段が設けられている。これにより、本態様の色付コンタクトレンズを、虹彩着色部および／又は環状着色帯の中心がずらされた一方の側が鼻側に位置するように装着するだけで、装用時の虹彩着色部および／又は環状着色帯の位置を、装用者の角膜からの位置ずれを低減乃至は回避して、当該位置に安定させることが出来る。従って、装用時の色付コンタクトレンズが回転して、中心がずらされた虹彩着色部および／又は環状着色帯が耳側や上下側に移動して、観察者に違和感を与えたり、装用者の視界を遮る等の不具合が発生することが未然に防止されている。【００１３】
また、夜間等の暗所では、散瞳により装用者の瞳孔径が大きくなることから、レンズ幾何中心と虹彩着色部および／又は環状着色帯の中心が一致した従来構造のコンタクトレンズでは、耳側にずれて安定した装着状態において、特に鼻側の視野が虹彩着色部および／又は環状着色帯の影響を受け易かった。この点、本態様の色付コンタクトレンズによれば、虹彩着色部および／又は環状着色帯が鼻側にずらされており、角膜からの位置ずれが低減乃至は回避されていることから、虹彩着色部および／又は環状着色帯の内径の大径化を伴うことなく、従来構造に比して鼻側の視野への虹彩着色部および／又は環状着色帯の影響を低減乃至は回避出来る。従って、暗所で瞳孔径が大きくなる場合でも、虹彩着色部および／又は環状着色帯による視野低下やそれによる斜視の発生のおそれを低減乃至は解消することが出来る。【００１４】
加えて、本態様の色付コンタクトレンズによれば、虹彩着色部および／又は環状着色帯が鼻側ずらされており、角膜からの位置ずれが低減乃至は回避されていることから、虹彩着色部および／又は環状着色帯の内径の大径化を伴うことなく、従来構造に比して視線を真横に向けた際の鼻側における装用者の角膜と虹彩着色部および／又は環状着色帯の位置ずれを十分に小さくすることが出来、観察者へ違和感を与えるおそれを低減乃至は解消することが出来る。【００１５】
本発明の第二の態様は、前記第一の態様に記載の色付コンタクトレンズにおいて、前記レンズ幾何中心に対する前記虹彩着色部の中心のずれ量が０．２〜２．０ｍｍおよび／又は環状着色帯の中心のずれ量が０〜１．７ｍｍであるものである。【００１６】
本態様によれば、レンズ幾何中心に対する前記虹彩着色部の中心のずれ量が０．２〜２．０ｍｍおよび／又は環状着色帯の中心のずれ量が０〜１．７ｍｍの範囲で調整されている。統計上、コンタクトレンズは視軸に対して０．５ｍｍ程度耳側にずれて安定することが多いことを考慮すると、ずれ量を上記範囲に設定することにより、本態様の色付コンタクトレンズを、虹彩着色部および／又は環状着色帯の中心がずらされた一方の側が鼻側に位置するように装着することにより、装用時の虹彩着色部および／又は環状着色帯を装用者の角膜に一層有利に一致させることが出来る。また、人と対面する時など近方視時は輻輳によりさらに内側に視軸が移動することから、虹彩着色部と環状着色帯の両方を設ける場合には、上記の範囲で環状着色帯及び虹彩着色部のずれ量をそれぞれ設定した方が望ましく、より好ましくは環状着色帯のずれ量より虹彩着色部のずれ量が大きくされる。ただし、コスメティック効果の観点からは、それらの中心のレンズ幾何中心からのずれ量は、所望のコスメティック効果により任意に設定されるものであり、相互に同一でもよいし、互いに異ならされていてもよい。【００１７】
本発明の第三の態様は、前記第一又は第二の態様のいずれか１つの態様に記載の色付コンタクトレンズにおいて、前記虹彩着色部と該虹彩着色部の外周側に設けられた前記環状着色帯の両方を有しており、該虹彩着色部と該環状着色帯が同心状態で形成されているものである。【００１８】
本態様によれば、虹彩着色部とその外周側に位置する環状着色帯が同心的に形成されていると共に、レンズ幾何中心から偏心されていることから、虹彩着色部と環状着色帯の中心がずらされた一方の側が鼻側に位置するように装着するだけで、装用時の虹彩着色部と環状着色帯の位置を、装用者の角膜に有利に位置合わせしつつ、高いコスメティック効果を違和感なく有利に実現することが出来る。【００１９】
本発明の第四の態様は、前記第一又は第二の態様のいずれか１つの態様に記載の色付コンタクトレンズにおいて、前記虹彩着色部と前記環状着色帯の中心が前記径方向線上で相互に離隔しているものである。【００２０】
本態様によれば、虹彩着色部と環状着色帯の中心が径方向線上で相互に離隔されていることから、虹彩着色部と環状着色帯を設ける位置の設計自由度を向上することが出来る。これにより、個人差や所望のコスメティック効果にあわせて、虹彩着色部と環状着色部を最適な位置に設けることが出来る。【００２１】
本発明の第五の態様は、前記第一〜第四の態様のいずれか１つの態様に記載の色付コンタクトレンズにおいて、前記虹彩着色部の内周縁部および外周縁部がいずれも円形状であるものである。【００２２】
人の眼の虹彩の内周縁部および外周縁部は円形である場合が一般的であるが、本態様によれば、虹彩着色部の内周縁部および外周縁部がいずれも円形状とされていることから、虹彩着色部を装用者の虹彩に対応位置させることが出来所望のコスメティック効果が有利に得られる。【００２３】
本発明の第六の態様は、前記第一〜第四の態様のいずれか１つの態様に記載の色付コンタクトレンズにおいて、前記環状着色帯の外周縁部が楕円形状とされており、該外周縁部の長軸が、前記径方向線と一致しているものである。【００２４】
人の眼の角膜の外周縁部は横楕円形である場合が一般的であるが、本態様によれば、環状着色帯外周縁部が楕円形状とされていることから、一層有利に環状着色帯の外周縁部を装用者の角膜の外周縁部に対応位置させることが出来ると共に、一層違和感なく装用者の角膜の外径を大きく且つ外縁をはっきりと強調することが可能となる。なお、環状着色帯の内周縁部は円形でもよいし、外周縁部と相似形状で外周縁部よりも小さな楕円形状とされていてもよく、所望のコスメティック効果により任意に決定され得る。【００２５】
本発明の第七の態様は、前記第一〜第六の態様のいずれか１つの態様に記載の色付コンタクトレンズにおいて、レンズ中央部分に設けられた光学部と該光学部を囲む周縁部が設けられており、前記位置決め手段が、前記径方向線を挟んだ両側において前記周縁部が薄肉化された一対のスラブオフ領域を設けることにより構成されているものである。【００２６】
本態様によれば、位置決め手段を従来から公知のダブルスラブオフ構造により簡単に構成することが出来る。しかも、一方のスラブオフと他方のスラブオフの上下を反転させた２つの位置で安定状態を発現させることが出来る。従って、両眼が同一視力の装用者の場合は、虹彩着色部および／又は環状着色帯の中心がずらされた一方の側が鼻側に位置するように装着しさえすれば、同一のレンズを上下反転させて右眼用、左眼用に用いることも出来る。【００２７】
本発明の第八態様は、前記第一〜第六の態様のいずれか１つの態様に記載の色付コンタクトレンズにおいて、レンズ中央部分に設けられた光学部と該光学部を囲む周縁部が設けられており、前記位置決め手段が、前記径方向線を挟んだ一方の側よりも他方の側の周辺部を厚肉にしたプリズムバラスト構造により構成されているものである。【００２８】
本態様によれば、位置決め手段を従来から公知のプリズムバラスト構造により簡単に構成することが出来る。また、重力作用を利用してコンタクトレンズの周方向での位置決めを安定し実現することが可能となり、装用者の角膜に対して虹彩着色部や該虹彩着色部を一層有利に安定位置させることが出来、観察者に違和感を抱かせることを有利に防止出来る。【００２９】
本発明の第九の態様は、前記第八の態様に記載の色付コンタクトレンズにおいて、前記虹彩着色部および／又は環状着色帯の中心が、前記径方向線から、前記周辺部が薄肉とされた前記一方の側にさらに偏倚されているものである。【００３０】
一般に、装用されたコンタクトレンズは、重力の作用でレンズ幾何中心が視軸よりも下方にずれた位置で安定することが多い。本態様の色付コンタクトレンズによれば、プリズムバラストにより重力作用を利用してコンタクトレンズを安定して位置決めする一方、虹彩着色部および／又は環状着色帯の中心を、径方向線から周辺部が薄肉とされた一方の側、即ち、上方側に偏倚させている。これにより、重力によるレンズ幾何中心を角膜の下方側で安定位置させつつ、上方に偏倚させた虹彩着色部および／又は環状着色帯を角膜に巧く位置決めすることが出来、色付コンタクトレンズの装用者の外観や視野の向上を一層有利に図ることが出来る。【００３１】
本発明の第十の態様は、前記第一〜第六の態様のいずれか１つの態様に記載の色付コンタクトレンズにおいて、前記虹彩着色部が環状とされている一方、レンズ中央部分に光学部が設けられており、該光学部の光学幾何中心が該虹彩着色部の中心と一致されていると共に、該光学部の外径が、虹彩着色部の内径以下とされているものである。【００３２】
本態様によれば、光学部の幾何中心がレンズ幾何中心よりも径方向線上で一方の側にずらされた虹彩着色部の中心と一致されていることから、レンズ装用時に光学部の幾何中心を虹彩着色部と同様に装用者の視軸により近付けさせることが出来る。その結果、光学部の外径を虹彩着色部の内径以下となるように小さくしても充分な光学特性を得ることが出来る。これにより、色付コンタクトレンズの厚さ寸法を小さくすることが可能となるのである。
【発明の効果】
【００３３】
本発明に従う構造とされた色付コンタクトレンズによれば、レンズ幾何中心を通る径方向線上において、虹彩着色部および／又は環状着色帯の中心がレンズ幾何中心から一方の側にずれた状態で、虹彩着色部や環状着色帯が設けられている。これにより、色付コンタクトレンズを装用した際に、レンズ装用者の視軸、即ち角膜の位置と色付コンタクトレンズの虹彩着色部や環状着色帯の位置を概ね一致させることが出来る。その結果、従来構造の色付コンタクトレンズのように、装用者の角膜の位置と虹彩着色部や環状着色帯の位置がずれる不具合を低減乃至は解消出来、かかる位置ずれにより観察者に違和感を与えたり、装用者の視野を低下させるといった問題が解消出来る。
【図面の簡単な説明】
【００３４】
【図１】本発明の第一の実施形態である色付コンタクトレンズおよび装用状態を示す正面説明図。
【図２】本発明の第二の実施形態としての色付コンタクトレンズの正面図。
【図３】本発明の第三の実施形態としての色付コンタクトレンズの正面図。
【図４】本発明の第四の実施形態としての色付コンタクトレンズの正面図。
【図５】本発明の第五の実施形態としての色付コンタクトレンズの正面図。
【図６】本発明の第六の実施形態としての色付コンタクトレンズの正面図。
【図７】本発明の第七の実施形態としての色付コンタクトレンズの正面図。
【図８】本発明の第八の実施形態としての色付コンタクトレンズの正面図。
【図９】従来構造としての色付コンタクトレンズの正面図。
【発明を実施するための形態】
【００３５】
以下、本発明の実施形態について、図面を参照しつつ説明する。
【００３６】
本発明の第一の実施形態としての色付コンタクトレンズ１０について、図１（ａ）〜（ｃ）を用いて説明する。図１（ａ）には色付コンタクトレンズ１０の正面説明図が示されている。この色付コンタクトレンズ１０は、従来公知の色付コンタクトレンズに従った外形形状を有しており、図１（ｂ）にモデル的に示す眼球１２の角膜１４の表面に重ね合されて装用されるように、球状凸面形状とされた前面１６と球状凹面形状とされた後面（図示せず）とを有する部分的な球殻形状をもって形成されている。なお、図１（ｂ）では、理解を容易とするために、眼球１２の角膜１４及び後述する強膜３４、角膜１４と強膜３４の境界線３６、瞳孔４５の外形及び視軸５２を実線で示し、載置される色付コンタクトレンズ１０の後述するレンズ幾何中心２０、径方向線２２、エッジ部２８、直交経線４８を仮想線（２点鎖線）で示している。
【００３７】
なお、色付コンタクトレンズ１０の材質は限定されるものでなく、ＲＧＰレンズ（酸素透過性レンズ）やＰＭＭＡ（ポリメチルメタアクリレート）等のハードレンズの他、ＰＨＥＭＡ（ポリヒドロキシエチルメタクリレート）等の含水性やアクリル系エラストマー等の非含水性或いはシリコーンハイドロゲル等の高酸素透過性の如きソフトコンタクトレンズが、何れも採用され得る。特に、ソフトコンタクトレンズは、ハードコンタクトレンズに比して、一般に大径で強膜３４の部分も充分に覆い、且つ装用時の角膜１４上での移動量も小さいことから、本発明において好適に採用され得る。
【００３８】
より詳細には、色付コンタクトレンズ１０は、角膜１４に重ね合されるレンズ中央部分に対して特定の光学特性を持たせた光学部１８を有し、近視や遠視、老視等の視力異常に対する矯正機能を与え得るようになっている。なお、本発明は光学部１８に矯正機能を与えた視力補正用コンタクトレンズの他、光学部１８が特定の光学特性を持たない非視力補正用コンタクトレンズにも適用可能であることはもちろんである。非視力補正用コンタクトレンズとして提供される場合には、専らコスメティックレンズ（美容又はおしゃれ用のコンタクトレンズ）として提供される。
【００３９】
図１（ａ）に示す正面視において、色付コンタクトレンズ１０の光学部１８は、レンズ幾何中心２０を通って眼球１２に装用された際に装用された眼球１２の左右方向（図１中左右方向）に延びる径方向線２２上において該レンズ幾何中心２０から一方の側（図１中右側）にずれた中心点２４上に広がる円形状で形成されている。また、レンズ外周部分には、光学部１８の周りを囲むようにして非光学領域としての周縁部２６が、所定幅の円環帯形状をもってレンズ幾何中心２０上に形成されている。更にまた、レンズ外周縁部には、色付コンタクトレンズ１０の前後両面を滑らかに繋ぐエッジ部２８が全周に亘って円環形状で形成されている。ここにおいて、光学部１８は、その光学部幾何中心３０が中心点２４と一致せしめられている。
【００４０】
そして、色付コンタクトレンズ１０は、その外径寸法が、眼球１２の黒目部分である角膜１４を全体に覆い、且つ白目部分である強膜３４の部分まで所定幅で覆い得るようになっている。即ち、角膜１４と強膜３４の境界線（リンバル）３６が、色付コンタクトレンズ１０の外周縁であるエッジ部２８よりも内周側に位置するようになっている。なお、角膜１４は、眼の虹彩の色を外部から視認出来る領域である。
【００４１】
さらに、色付コンタクトレンズ１０は、装用される眼球１２において、角膜１４を通して虹彩が視認出来る虹彩領域３８（図１（ｂ）参照）に重ね合される略環状に広がる虹彩着色部４０と、この虹彩着色部４０の外周側に設けられて角膜１４と強膜３４の境界線３６を跨いで内周側と外周側に広がって重ね合される環状着色帯４２を有している。虹彩着色部４０および環状着色帯４２の中心は、レンズ幾何中心２０を通る径方向線２２上において、レンズ幾何中心２０から一方の側にずらされた中心点２４上に重なるように位置されており、光学部１８と同心状に形成されている。なお、虹彩着色部４０の中心のレンズ幾何中心２０に対するずれ量は０．２〜２．０ｍｍの範囲で設定されるのが望ましい。また環状着色帯４２の中心のレンズ幾何中心２０に対するずれ量は０〜１．７ｍｍの範囲で設定されるのが望ましい。本実施形態においては、それらのずれ量は同一とされている。
【００４２】
虹彩着色部４０は、角膜１４を通して視認出来る虹彩に対して異なる色彩を付加することにより、装用者の眼に異なる印象を与えることを意図するものである。従って、虹彩着色部４０は、虹彩に近い形状のドットパターンで構成されており、虹彩着色部４０の内周縁部４３および外周縁部４４の形状は、一般的な人の眼の虹彩の形状に近似させ得るように、円形とされている。虹彩着色部４０の内周縁部４３の径寸法は、装用者の視野の妨げにならないように瞳孔４５の外径よりも大きくされることが望ましい。さらに、虹彩着色部４０の外周縁部４４の径寸法は、環状着色帯４２と重なり合う程度の大きさとされている。
【００４３】
具体的には、虹彩着色部４０の内径は５ｍｍ以上、また夜間の瞳孔径の広がりを考慮すると、８ｍｍ以上であることが望ましい。また、虹彩着色部４０が瞳孔４５まで覆う場合を考慮して、虹彩着色部４０の濃度を環状着色帯４２の濃度より小さくしたり、虹彩着色部４０のドットパターンを構成する色付ドット４６の径を内周側に向かうに従って小さくすることが望ましい。さらに、色付ドット４６の着色剤として光の透過性の高いものを採用することも好適である。
【００４４】
特に、本実施形態の色付コンタクトレンズ１０においては、光学部１８の外径が虹彩着色部４０の内径と略同一か、それよりも僅かに小さくされており、虹彩着色部４０が光学部１８を構成しないようになっている。
【００４５】
環状着色帯４２は、装用者の角膜１４と強膜３４の両方に跨ってそれらの境界線３６上を全周に亘って略一定の幅寸法で延びており、虹彩着色部４０と同様に、内周縁部５６および外周縁部５８の形状は円形とされている。環状着色帯４２は、角膜１４の外径を大きく且つ外縁をはっきりと強調することを意図するものであることから、虹彩着色部４０に比べて明度が低く、全体に亘って着色が行われる。従って、環状着色帯４２の内径は、装用者の視野の妨げにならないよう、瞳孔４５から大きく離隔されており、角膜１４の外縁から僅かに内側に入り込む程度の大きさとされている。環状着色帯４２の外径は、角膜１４の外径よりも僅かに大きくされており、環状着色帯４２の幅寸法は、角膜１４を違和感なく大きくくっきりと強調し得る程度の大きさとされている。
【００４６】
具体的には、環状着色帯４２は、目的とするコスメティック効果等を充分に発揮させるために、０．７５〜３．０ｍｍの径方向の幅寸法をもって形成されることが好適であり、より好適には１．０〜２．５ｍｍの径方向の幅寸法で形成される。また、環状着色帯４２の濃度分布については、特に限定するものではない。すなわち、環状着色帯４２の濃度は一様でもよいし、あるいは径方向で変化しており、径方向において内周側から外周側に向かって濃度が小さくなる部分が設けられていてもよい。
【００４７】
このような虹彩着色部４０や環状着色帯４２の形成方法は特に限定されるものでなく、従来から公知の任意の方法で形成し得る。例えば特開平３−５４５１９号公報等に記載されているように、コンタクトレンズの成形モノマーを注型してコンタクトレンズを成形する際に着色したり、成形されたコンタクトレンズに対して手描きや写真印刷、スクリーン印刷等によって形成することも可能である。なお、虹彩着色部４０や環状着色帯４２を形成するコンタクトレンズの表面である被着面が球面状であることや、量産性、着色精度、色の再現性等を考慮すると、パッド印刷又はインクジェット印刷が有利に採用され得る。
【００４８】
さらに、色付コンタクトレンズ１０の周縁部２６には、レンズ幾何中心２０を通って径方向線２２に直交して延びる直交経線４８方向で、光学部１８を挟んだ両側に、例えば、特開２００９−１６９１０４号公報に記載されているような従来から公知のスラブオフ領域５０，５０が設けられている。スラブオフ領域５０，５０は、径方向線２２方向で光学部１８を挟んだ両側に位置する部分に比して薄肉とされており、両スラブオフ領域５０、５０によって、周方向位置決め手段としてのダブルスラブオフ構造が構成されている。両スラブオフ領域５０、５０を与える薄肉面は、レンズ後面（図示せず）に設定されており、装用状態において色付コンタクトレンズ１０が角膜表面に沿うように変形することによって、レンズ後面に設定された薄肉形状がレンズ前面１６に現れるようにされている。これら両スラブオフ領域５０、５０は、直交経線４８に関して線対称形状とされると共に、径方向線２２に関して線対称形状とされている。
【００４９】
このような構造とされた色付コンタクトレンズ１０は、眼球１２への装用状態において、スラブオフ領域５０、５０と眼瞼との相互作用によって、径方向線２２が装用される眼球１２の左右方向に延びる位置で安定するように、色付コンタクトレンズ１０の装用中における回転防止が有効に為され得るようになっているのである。
【００５０】
ところで、従来構造の色付コンタクトレンズ７６においては、図８に示すように、角膜１４上に装用される色付コンタクトレンズ７６の光学部幾何中心３０はレンズ幾何中心２０と一致されており、虹彩着色部４０および環状着色帯４２の中心も、レンズ幾何中心２０と一致されている。そのため、図８（ａ）に示す従来構造の色付コンタクトレンズ７６を、図１（ｂ）にモデル的に示す眼球１２上に装着すると、図８（ｂ）に示される通り色付コンタクトレンズ７６のレンズ幾何中心２０が、眼球１２の瞳孔４５の中心たる視軸５２に対してずれた状態で安定することとなる。その結果、虹彩着色部４０や環状着色帯４２が角膜１４の所定位置に載置されず、色付コンタクトレンズの装用者の外観に違和感を与えたり、虹彩着色部４０や環状着色帯４２が装用者の視野を妨げる原因となっていた。また、光学部幾何中心３０が視軸５２に対してずれた状態で安定することから、光学部１８の外径を大きめに設定することが避けられず、虹彩着色部４０が光学部１８内に入り込み、装用者の視野に影響を与えるおそれがある。
【００５１】
一方、図１（ａ）に示す本実施形態に従う構造とされた色付コンタクトレンズ１０においては、上述のとおり虹彩着色部４０および環状着色帯４２の中心が位置する中心点２４は、装用時の安定位置を考慮して、径方向線２２上でレンズ幾何中心２０から一方の側（図１中右側）にずらされている。それ故、図１（ｂ）にモデル的に示す眼球１２上に色付コンタクトレンズ１０を装着すると、図１（ｃ）に示される通り、眼球１２の瞳孔４５の中心たる視軸５２に対して、径方向線２２方向（眼球１２の左右方向）において略同じ位置に配設することが出来るのである。その結果、虹彩着色部４０や環状着色帯４２が角膜１４に適合した所定位置に載置することが可能となり、従来構造の色付コンタクトレンズ７６に見られたような、装用者の外観に違和感を与えたり、視野の低下をもたらす等の不具合を十分に改善することが出来るのである。
【００５２】
加えて、本実施形態においては、図１に示すように、光学部幾何中心３０も、虹彩着色部４０および環状着色帯４２の中心が位置された中心点２４に一致されていることから、眼球１２の瞳孔４５中心たる視軸５２と、径方法で同じ位置とすることが出来るのである。従って、従来構造の色付コンタクトレンズ７６より、光学部１８の中心に近い部分を瞳孔４５の中心に一層近づけることが出来ることから、よりよい光学特性を得ることが可能となる。それ故、光学部１８の外径を虹彩着色部４０の内径以下としても、十分な光学特性を得ることが出来る。そして、従来よりも小径の光学部１８の採用が可能となることによって、色付コンタクトレンズ１０の厚さ寸法を小さくすることが可能となる。
【００５３】
また、本実施形態の色付コンタクトレンズ１０においては、眼球１２への装用状態において、スラブオフ領域５０、５０と眼瞼との相互作用によって、直交経線４８が装用眼の上下方向となるレンズ回転位置で安定せしめられる。これにより、本実施形態の色付コンタクトレンズ１０を、虹彩着色部４０および環状着色帯４２の中心がずらされた一方の側が鼻側に位置するように装着するだけで、虹彩着色部４０および環状着色帯４２が装用者の角膜１４の所望に部位から位置ずれしてしまう不具合を低減乃至は回避して、所望の部位に位置決めして安定させることが出来る。それ故、装用時の色付コンタクトレンズが回転して、中心がずらされた虹彩着色部４０および環状着色帯４２が耳側や上下側に移動して、観察者に違和感を与えたり、装用者の視界を遮る等の不具合が発生することが未然に防止される。加えて、両眼が同一視力の装用者の場合は、同一のレンズを上下反転させて右眼用、左眼用に用いることも出来る。さらに、本実施形態における色付コンタクトレンズ１０は、必ずしも左右一対で提供される必要は無いが、左右一対で提供されることによって、更に優れた不具合防止効果を得ることが出来る。
【００５４】
なお、本実施形態の色付コンタクトレンズ１０においては、虹彩着色部４０および環状着色帯４２の両方を設けた場合について説明を行ってきたが、本発明はどちらか一方だけが設けられている場合にでも同様に適用可能である。
【００５５】
次に、図２〜図８を用いて本発明の第二〜第八の実施形態としての色付コンタクトレンズ５４，６０，６１，６３，６４，７２，７４について説明する。なお、以下の説明において、前述の第一の実施形態と同様の構造とされた部材および部位については、図中に第一の実施形態と同一の符号を付することにより、その詳細な説明を省略する。
【００５６】
図２（ａ）に示すように、本発明の第二の実施形態の色付コンタクトレンズ５４は、第一の実施形態における色付コンタクトレンズ１０の環状着色帯４２の形状が異ならされたものである。具体的には、環状着色帯４２の内周縁部５６および外周縁部５８が楕円形状とされており、その内周縁部５６および外周縁部５８の長軸が、径方向線２２と一致しているものである。
【００５７】
図１（ｂ）に示すように、人の眼球１２の角膜１４及び強膜３４の境界線３６は横楕円形である場合が多く、本実施形態によれば、図２（ａ）に示すように、環状着色帯４２の内周縁部５６および外周縁部５８が楕円形状とされている。従って、図２（ｂ）に示すように、色付コンタクトレンズ５４を眼球１２上に重ね合せて装用した際には、環状着色帯４２の内周縁部５６および外周縁部５８が装用者の角膜１４及び強膜３４の境界線３６の内周側・外周側に跨って対応位置させることが出来、一層違和感なく装用者の角膜１４の外径を大きく且つ外縁をはっきりと強調することが可能となるのである。
【００５８】
また、眼球１２の個体差やスラブオフ領域５０，５０のつけ方などにより、色付コンタクトレンズ５４が径方向線２２から若干傾いて安定する場合があることを考慮すると、環状着色帯４２を見込み分だけ傾けて形成してもよい。
【００５９】
図３（ａ）に、本発明の第三の実施形態としての色付コンタクトレンズ６０の正面図を示す。本実施形態の色付コンタクトレンズ６０は、第一の実施形態における色付コンタクトレンズ１０に比べて、環状着色帯４２の中心がレンズ幾何中心２０に一致されている点で異なっている。要するに、本実施形態では虹彩着色部４０と環状着色帯４２の中心が径方向線２２上で相互に離隔している。
【００６０】
この場合でも、図３（ｂ）に示すように色付コンタクトレンズ６０を図１（ｂ）に示す眼球１２上に重ね合せて装着した場合には、図３（ｂ）に示すように、虹彩着色部４０の中心が位置する中心点２４を、眼球１２の瞳孔４５の中心たる視軸５２と、径方向線２２方向（眼球１２の左右方向）で略同じ位置とすることが出来、視軸５２と虹彩着色部４０のずれを低減することが出来る。それ故、従来構造の色付コンタクトレンズ７６に見られたような、装用者の外観に違和感を与えたり、視野の低下をもたらす、といったことを抑えられ得るのである。
【００６１】
このように、環状着色帯４２と虹彩着色部４０のどちらか一方の中心だけを、眼球１２の瞳孔４５中心たる視軸５２と径方向線２２方向で同じ位置としても、装用者の外観に違和感を与えたり、視野の低下をもたらす、といったことを抑えられ得るのである。
【００６２】
図４（ａ）に、本発明の第四の実施形態としての色付コンタクトレンズ６１の正面図を示す。本実施形態の色付コンタクトレンズ６１は、第三の実施形態における色付コンタクトレンズ６０に比べて、環状着色帯４２の中心がレンズ幾何中心２０から径方向線２２上で、一方の側にずらされた中心点２４と異なる中心ポイント６２に位置されている点で異なっている。
【００６３】
これにより、図４（ｂ）に示すように色付コンタクトレンズ６１を図１（ｂ）に示す眼球１２上に重ね合せて装着した場合には、図４（ｂ）に示すように、環状着色帯４２の中心が位置する中心ポイント６２を、眼球１２の瞳孔４５の中心たる視軸５２に近付けることが出来、レンズ幾何中心２０に対する環状着色帯４２のずれ量よりも虹彩着色部４０のずれ量が大きくされている。これにより、統計上角膜中心よりも鼻側に視軸５２があることや、人と対面する時など近方視時は輻輳によりより内側に視軸５２が移動することに対応して、より一層違和感のないコスメティック効果が得られるのである。
【００６４】
このように、環状着色帯４２と虹彩着色部４０の中心の位置およびレンズ幾何中心２０が全て異なる位置にあったとしても、装用者の外観に違和感を与えたり、視野の低下をもたらす、といったことを抑えられ得るのである。
【００６５】
また、統計上、コンタクトレンズは後述する視軸５２に対して０．５ｍｍ程度耳側にずれて安定することが多いことが知られている。その点を考慮して、好ましくはレンズ幾何中心２０に対する虹彩着色部４０の中心のずれ量が０．２〜２．０ｍｍおよび／又は環状着色帯４２の中心のずれ量が０〜１．７ｍｍの範囲で設定されること、より好ましくはレンズ幾何中心２０に対する虹彩着色部４０の中心のずれ量が０．４〜１．０ｍｍおよび／又は環状着色帯４２の中心のずれ量が０．１〜０．７ｍｍの範囲で設定されること、が望ましい。
【００６６】
図５（ａ）に、本発明の第五の実施形態としての色付コンタクトレンズ６３の正面図を示す。本実施形態の色付コンタクトレンズ６３は、第二の実施形態における色付コンタクトレンズ５４の環状着色帯４２の位置が異ならされたものである。具体的には、環状着色帯４２の中心位置が、レンズ幾何中心２０と一致されているものである。
【００６７】
本実施形態においても、図５（ｂ）に示すように色付コンタクトレンズ６３を図１（ｂ）に示す眼球１２上に重ね合せて装着した場合には、図５（ｂ）に示すように、虹彩着色部４０の中心点２４を、眼球１２の瞳孔４５の中心たる視軸５２と、径方向線２２方向（眼球１２の左右方向）で略同じ位置とすることが出来る。それ故、従来構造の色付コンタクトレンズ７６に見られたような、装用者の外観に違和感を与えたり、視野の低下をもたらす、といった現象を抑えることが可能となるのである。
【００６８】
図６（ａ）に、本発明の第六の実施形態としての色付コンタクトレンズ６４の正面図を示す。本実施形態の色付コンタクトレンズ６４は、第一の実施形態における色付コンタクトレンズ１０の環状着色帯４２と虹彩着色部４０と光学部１８の位置が異ならされている。具体的には、同心的に設けられたそれらの中心点６６を、第一実施形態の中心点２４に比して、径方向線２２を挟んだ一方の側上方（図６中上方）にさらにずらしたものである。これは、眼球１２上に装用されたコンタクトレンズは、一般に、重力の作用でレンズ幾何中心２０が視軸５２よりも下方にずれた位置で安定するが多い点を考慮したものである。
【００６９】
さらに色付コンタクトレンズ６４は、レンズ全体形状において、従来から公知の所謂プリズムバラスト形状を呈している。即ち、プリズムバラスト型の色付コンタクトレンズ６４は、直交経線４８が延びる方向（図６中、の上下方向）において、下方に行くに従って連続的にレンズ厚さが厚くなるように構成されており、これによって色付コンタクトレンズ６４の装用中における回転防止が有効に防止され、レンズ周方向位置を位置決めする位置決め手段が構成されるようになっている。また、そのような構成の色付コンタクトレンズ６４は、そのレンズ下部が厚くなり過ぎ、装用感を悪化せしめるところから、レンズ前面１６の少なくとも下部を切除して、スラブオフ領域６８を形成せしめ、それによって、例えば球面形状、円錐形状、非球面形状等のスラブオフ面７０がレンズ前面１６の少なくとも下部に形成されて、装用感が向上せしめられるようになっているのである。
【００７０】
このような構造とされた図６（ａ）に示す色付コンタクトレンズ６４を図１（ｂ）に示す眼球１２上に重ね合せて装着した際に、重力の作用によりレンズ幾何中心２０が視軸５２よりも下方にずれた位置で安定した場合に、図６（ｂ）に示すように、光学部１８と虹彩着色部４０と環状着色帯４２の中心点６６を、眼球１２の瞳孔４５の中心たる視軸５２と、略一致させることが出来る。それ故、環状着色帯４２と虹彩着色部４０の中心位置が視軸５２とずれていることにより発生していた、装用者の外観の違和感や視野の低下といった問題の発生を一層有利に低減乃至は解消することが可能となるのである。また、視野にあたる瞳孔４５に光学部１８の中心部を位置させることが出来るため、図６（ｂ）に示すように光学部１８の外径をより一層小さく（例えば虹彩着色部４０の内径以下）とすることも可能となり色付コンタクトレンズ６４の厚さ寸法を一層小さくすることも出来る。
【００７１】
図７（ａ）に、本発明の第七の実施形態としての色付コンタクトレンズ７２の正面図を示す。本実施形態の色付コンタクトレンズ７２は、第二の実施形態における色付コンタクトレンズ５４の環状着色帯４２と虹彩着色部４０と光学部１８の位置が異ならされたものである。具体的には、同心的に設けられたそれらの中心点６６を、第二実施形態の中心点２４に比して、径方向線２２を挟んだ一方の側（図７中上方）にさらにずらしたものである。なお、色付コンタクトレンズ７２には、第５の実施形態の色付コンタクトレンズ６４と同様、レンズ全体形状をプリズムバラスト型となすころにより、位置決め手段が構成されており、レンズ前面１６の下部には、スラブオフ領域６８およびスラブオフ面７０が形成されている。
【００７２】
このような構造とされた図７（ａ）に示す色付コンタクトレンズ７２を図１（ｂ）に示す眼球１２上に重ね合せて装着した場合には、図７（ｂ）に示すように光学部１８と虹彩着色部４０と環状着色帯４２の中心点６６を、眼球１２の瞳孔４５の中心たる視軸５２と、略一致させることが出来る。それ故、前記実施形態と同様に、環状着色帯４２と虹彩着色部４０の中心位置が視軸５２とずれていることにより発生していた、装用者の外観の違和感や視野の低下といった現象を無くすることが可能となるのである。また、視野にあたる瞳孔４５に光学部１８の中心部をもってくることが出来るため、図７に示すように光学部１８を小径化することも可能となる。
【００７３】
図８（ａ）に、本発明の第八の実施形態としての色付コンタクトレンズ７４の正面図を示す。本実施形態の色付コンタクトレンズ７４は、第七の実施形態における色付コンタクトレンズ７２の環状着色帯４２の内周縁部５６の形状が異ならされたものである。具体的には、その形状が円形とされているものである。
【００７４】
この場合ももちろん、前記実施形態と同様に、環状着色帯４２と虹彩着色部４０の中心位置が視軸５２とずれていることにより発生していた、装用者の外観の違和感や視野の低下といった現象を無くすることが可能となる。また、環状着色帯４２の幅を太く出来るので、顔全体の表情をより可愛くみせることが出来る。
【００７５】
以上、本発明の実施形態について詳述してきたが、これはあくまでも例示であって、本発明はかかる実施形態における具体的な記載によって、何等、限定的に解釈されるものでなく、当業者の知識に基づいて種々なる改良，修正等を加えた態様において実施され得るものであり、また、一々列挙しないが、そのような実施態様が本発明の趣旨を逸脱しない限り、何れも、本発明の範囲内に含まれるものであることは言うまでもない。
【００７６】
例えば、前述の実施形態においては、虹彩着色部４０と同心状に形成された光学部１８の外径が、虹彩着色部４０の内径と同等かそれよりも小さく出来る例を示したが、これに限定されず、単に光学部１８の外径を虹彩着色部４０の内径よりも大きくしたものや、光学部１８の光学部幾何中心３０をレンズ幾何中心２０に一致させつつ光学部１８の外径を虹彩着色部４０の内径よりも大きくしたものも、本発明に含まれることは勿論である。
【００７７】
また、本発明の色付コンタクトレンズに採用される位置決め手段は、コンタクトレンズの周方向の位置決めを為し得るものであれば、何れも採用可能であり、例示の実施形態に記載したスラブオフやプリズムバラスト等の他、従来から公知の任意の位置決め手段が採用可能である。
【００７８】
加えて、虹彩着色部４０や環状着色帯４２の形状は、例示のものに限定されず、所望のコスメティック効果に応じて、適宜変更可能である。例えば、環状着色帯４２の幅寸法を例示のものよりも大きく形成し、所謂黒目部分を一層大きく強調することも可能である。また、虹彩着色部４０の形状は、ドットパターンに限定されず、虹彩領域３８を着色し得るパターンであれば任意の形状が採用可能である。
【符号の説明】
【００７９】
１０，６４：色付コンタクトレンズ、１２：眼、１４：角膜、１８：光学部、２０：レンズ幾何中心、２２：径方向線、２４：中心点、２６：周縁部、３４：強膜、３６：境界線、３８：虹彩領域、４０：虹彩着色部、４２：環状着色帯、４３：内周縁部、４４：外周縁部、４５：瞳孔、５０：スラブオフ領域、５２：視軸、５６：内周縁部、５８：外周縁部、６６：中心点
【図１】
2013093971.tif 000003
【図２】
2013093971.tif 000004
【図３】
2013093971.tif 000005
【図４】
2013093971.tif 000006
【図５】
2013093971.tif 000007
【図６】
2013093971.tif 000008
【図７】
2013093971.tif 000009
【図８】
2013093971.tif 000010
【図９】
2013093971.tif 000011
【国際調査報告】
2013093971.tif 000012
2013093971.tif 000013
2013093971.tif 000014
2013093971.tif 000015